(57)【要約】【課題】収納された市販の一般的な鍵を容易に操作できる携帯便利な薄型のキーホルダーで、さらに暗所で手元照明ができる様な照明機能を付加することのできるキーホルダーを提供する【解決手段】キーホルダーは本体部１、本体回転部２、３より構成され、それぞれは裏面より片側粘着材の付いた屈折自由な薄いシート部材で接合されている。本体回転部２、３の鍵固定部２ａ、３ａに鍵を固定し回転支点部５を中心として立体的に１８０度回転させると鍵本体部分のみが突出する状態となり施錠操作ができる。又本体部１と本体回転部２、３は互いに弾性体で引き合っており、施錠操作後は自動的に鍵は元のフラットな状態に復帰する。又暗所で手元照明が可能な様な照明機能を付加する事ができ、立体的な回転動作を利用したスイッチＯＮ／ＯＦＦ機能を持たせ人間によるスイッチ操作を無くした。【選択図】  図１
2006132295.tif 000002
【特許請求の範囲】
【請求項１】
市販性のある一般的な鍵を複数個収納できる薄型のキーホルダー。鍵使用時はキーホルダーの一部を立体的に折り曲げることにより鍵先端部を突出させ、鍵使用後はホルダーに内蔵してある弾性体等の作用で自動的にフラットな形状に復帰する構造としたキーホルダー。
【請求項２】
夜間及び暗所で鍵穴やその他への対物照射ができる様に照明機能を付加する事ができ、その照明は鍵使用時のホルダーの折り曲げ動作で自動的に点灯／消灯するキーホルダー。
【発明の詳細な説明】
【技術分野】
【０００１】本発明は一つ又は複数個の鍵を収納し、財布やポケット、ハンドバック等に入れて携帯しやすく、且つ簡単な鍵操作ができる様に工夫したフラットでコンパクトなカード型のキーホルダーである。
【背景技術】
【０００２】従来のカード型キーホルダーは鍵をホルダーに対しスライド又は水平回転させて鍵本体部を突出させる方法が多く構成が複雑であった（例えば、特許文献１及び２参照。）。また、市販の一般的な鍵をそのまま使用するのではなくそれを加工したり、或いは専用の特殊な形状をした鍵を必要としているものがある（例えば、特許文献３及び４参照。）。
【特許文献１】特許３４６７６４５
【特許文献２】特開平１１−２４７５０２
【特許文献３】特許２８３７６２６
【特許文献４】特許２８９６４９０
【発明の開示】
【発明が解決しようとする課題】
【０００３】従来のキーホルダーは使用時に鍵をホルダーよりスライド又は水平回転させながら取り出す方式が多く、構成が複雑でコストがかかる。また、市販の鍵をそのまま使用するのではなく加工を加えたり、専用の特殊な形状を必要としている場合が多い。また、照明ライト付きのキーホルダーもあるがスイッチを設けたり構成が複雑でコストがかかる。
【課題を解決するための手段】
【０００４】キーホルダー本体は図１の様に本体部１，本体回転部２及び３の３体から構成されている。本体回転部２，及び３には鍵６が固定され、それぞれは回転支点部５を中心として１８０度立体的に回転できる様にした。１８０度回転させると、鍵６は鍵本体部６ａのみが突出する状態となり（図２参照）そのまま鍵穴に挿入し施錠操作が出来る。また、本体部１と本体回転部２，３の間には弾性部材７を設け、鍵を使用しない通常の状態の時はそれぞれ互いに引き合いながら図１の様なフラットな状態を保つ。カードホルダーを折り曲げて鍵を使用した後に、本体回転部２を離すと弾性部材７の張力により自動的に図１の状態に復帰するようにした。また、ライト付きキーホルダーにおいては、本体回転部２、３を１８０度回転させると自動的にライトが点灯する様にし、煩わしいスイッチ操作をなくした。
【発明の効果】
【０００５】市販の一般的な形状の鍵をほとんど使用する事ができる。また、キーホルダーから鍵を取り出す操作を従来のスライドや回転の様な複雑な水平動作ではなく、単純な立体的折り曲げ動作の構成としてコスト削減を図った。単純な折り曲げ操作と、使用後は内蔵してある弾性体により元のフラットな状態に自動復帰する機構としたため施錠時の鍵の出し入れ操作が片手で簡単にでき操作性に優れる。且つ、機構が単純なため薄型化が図れる。又、照明機能を付加する事により、夜間の施錠操作やそれ以外の対物照明等に便利である。照明を点滅させる専用スイッチが無く操作が簡単で利便性が高く、しかも部品コストを削減できる効果が大きい。
【発明を実施するための最良の形態】
【０００６】（イ）キーホルダー本体は図１の様に本体部１，本体回転部２及び３の３体から構成されている。それぞれは裏面において、片面粘着材を塗布し容易に折り曲げる事のできる薄いシート状の部材４で接合されており、それぞれの接点部である回転支点部５を支点として１８０度立体的に回転可能になっている。
（ロ）鍵６は本体回転部２，３の凹部である鍵固定部２ａ、３ａに両面粘着部材又は機械的固定部材で結合される。鍵を固定して本体回転部２を１８０度回転させ施錠を行う状態が図２である。
（ハ）図３ＡＡ断面図において、本体部１と本体回転部２，３の間には弾性部材７を配置し、それぞれ互いに引き合いながら図１の様なフラットな状態を維持させている。本体回転部２，３を１８０度回転した状態では（図４参照）その弾性部材７は戻ろうとする張力が働く、その為、鍵操作後に本体回転部２の保持操作を解除すると弾性部材７の張力により自動的に図１の状態に復帰する。
（ニ）図５は照明装置を装備したキーホルダーの鍵収納時状態での外観斜視図である。図６は本体回転部２を１８０度立体的に回転し鍵を突出させた状態の斜視図であり照明部材の点灯の状態を表している。図７は照明装置を装備したキーホルダーの内部平面図である。本体回転部２の内部には弾性体であるトーションバネ９が配置されており、その一端にテンションワイヤー１０が結ばれている。テンションワイヤー１０の他方の一端は本体部１に固定されており、トーションバネ９の時計方向の回転力により互いに引き合ってキーホルダーをフラットな状態に維持している。
本体部１には電池１１が２個直列に配置されており、プラスの電圧を取り出すリード線Ａ１２は本体回転部２の照明部品の片側の端子に接続されている。マイナスの電圧を取り出すリード線Ｂ１３は本体回転部２に装備してある導電板Ａ１４にハンダ付けされている。照明部品８の他方の端子には導通板Ｂ１５がハンダ付けされてそれぞれ図７の様な形状をなしている。
導通板Ｂ１５は本体回転部２の内部に固定されている、導通板Ａ１４は一端のみが固定され他の一端は拘束されていない為、ある領域をバネ性を持って撓む事ができる。
キーホルダーが通常のフラットな状態の時は、トーションバネ９の先端に形成されている押上げ部９ａにより導電板Ａ１４は撓んだ状態で、導電板Ｂ１５との接点部１６は乖離された状態となり電気的導通は絶たれている。
キーホルダーを立体的に１８０度折り畳むと一端を本体部１に固定されているテンションワイヤー１０がトーションバネ９を半時計方向に撓ませ、同時に押上げ部９ａも同方向に移動する。導通板Ａ１４もこれに追従して移動し導電板Ａの撓み力により接点部１６が互いに圧接して導通状態となり（図８参照）、その結果照明部品８が通電状態となり点灯する。また、施錠後に本体回転部２の保持操作を解除するとトーションバネ９の張力により自動的に元のフラットな状態に復帰する。
【図面の簡単な説明】
【０００７】
【図１】鍵を収納した通常時のフラットな状態を表す斜視図である。
【図２】本体回転部を１８０度折り畳んで鍵を突出させた状態の斜視図である。
【図３】図１におけるＡＡ断面図である。
【図４】本体回転部を１８０度折り畳んだ状態のＡＡ断面図である。
【図５】照明機能を付加したものの、鍵収納時状態を表す斜視図である。
【図６】照明機能を付加したものの、鍵を突出させた状態を表す斜視図である。
【図７】照明機能を付加したものの、内部平面図である。
【図８】照明機能を付加したものの、鍵を突出させた状態の内部平面図である。
【符号の説明】
【０００８】  １    本体部
２    本体回転部
２ａ  鍵固定部
３    本体回転部
３ａ  鍵固定部
４    シート部材
５    回転支点部
６    鍵
６ａ  鍵本体部
７    弾性部材
８    照明部品
９    トーションバネ
９ａ  押上げ部
１０    テンションワイヤー
１１    電池
１２    リード線Ａ
１３    リード線Ｂ
１４    導通板Ａ
１５    導通板Ｂ
１６    接点部
【図１】
2006132295.tif 000003
【図２】
2006132295.tif 000004
【図３】
2006132295.tif 000005
【図４】
2006132295.tif 000006
【図５】
2006132295.tif 000007
【図６】
2006132295.tif 000008
【図７】
2006132295.tif 000009
【図８】
2006132295.tif 000010